【手続補正書】
【提出日】平成16年12月27日(2004.12.27)
【手続補正１】
【補正対象書類名】特許請求の範囲
【補正対象項目名】全文
【補正方法】変更
【補正の内容】
【特許請求の範囲】
【請求項１】
集中処理装置と複数の医療関連施設に夫々配置される施設処理装置との間で患者データを送受信する双方向通信ネットワークによる医療情報提供・取得システムであって、
前記双方向通信ネットワークに収容されると共に前記複数の医療関連施設のうち一の医療関連施設に配置される前記施設処理装置は、各患者の患者データのうち限定的な情報量のデータ部分をミニマムデータとして入力するための入力手段と、該入力手段を介して入力されたミニマムデータを前記集中処理装置に転送する第１転送手段とを備え、
前記集中処理装置は、前記転送されてきたミニマムデータを前記各患者に対応付けて登録する登録手段を備え、
前記複数の医療関連施設のうち前記一又は他の医療関連施設に配置される前記施設処理装置は、前記各患者のうち一の患者についての前記登録されたミニマムデータの転送を前記集中処理装置に要求する第１要求手段を備え、
前記集中処理装置は、前記転送の要求を受け取ると、前記登録されたミニマムデータであって前記一の患者に係るものを検索して前記一又は他の医療関連施設に配置される施設処理装置に転送する第２転送手段を更に備え、
前記一又は他の医療関連施設に配置される施設処理装置は、前記転送されてきたミニマムデータを参照可能に構成されており、
前記ミニマムデータの情報量は、前記患者の承諾レベルに応じて可変に設定されていることを特徴とする双方向通信ネットワークによる医療情報提供・取得システム。
【請求項２】
前記入力手段は、予め設定された複数種類のテンプレートの中から一つを選択可能であり、更に該選択された一つのテンプレート上で、前記患者データを項目毎に前記患者の承諾レベルを示すデータに対応付けて入力可能なテンプレート入力手段を備えることを特徴とする請求項１に記載の双方向通信ネットワークによる医療情報提供・取得システム。
【請求項３】
コンピュータを、請求項１又は２のいずれか一項に記載の双方向通信ネットワークによる医療情報提供・取得システムに備えられた前記集中処理装置及び前記施設処理装置のうち少なくとも一方として機能させるコンピュータプログラム。
【手続補正２】
【補正対象書類名】明細書
【補正対象項目名】０００８
【補正方法】変更
【補正の内容】
【０００８】
本発明の第１の双方向通信ネットワークによる医療情報提供・取得システムは上記課題を解決するために、集中処理装置と複数の医療関連施設に夫々配置される施設処理装置との間で患者データを送受信する双方向通信ネットワークによる医療情報提供・取得システムであって、前記双方向通信ネットワークに収容されると共に前記複数の医療関連施設のうち一の医療関連施設に配置される前記施設処理装置は、各患者の患者データのうち限定的な情報量のデータ部分をミニマムデータとして入力するための入力手段と、該入力手段を介して入力されたミニマムデータを前記集中処理装置に転送する第１転送手段とを備え、前記集中処理装置は、前記転送されてきたミニマムデータを前記各患者に対応付けて登録する登録手段を備え、前記複数の医療関連施設のうち前記一又は他の医療関連施設に配置される前記施設処理装置は、前記各患者のうち一の患者についての前記登録されたミニマムデータの転送を前記集中処理装置に要求する第１要求手段を備え、前記集中処理装置は、前記転送の要求を受け取ると、前記登録されたミニマムデータであって前記一の患者に係るものを検索して前記一又は他の医療関連施設に配置される施設処理装置に転送する第２転送手段を更に備え、前記一又は他の医療関連施設に配置される施設処理装置は、前記転送されてきたミニマムデータを参照可能に構成されており、前記ミニマムデータの情報量は、前記患者の承諾レベルに応じて可変に設定されている。
【手続補正３】
【補正対象書類名】明細書
【補正対象項目名】０００９
【補正方法】変更
【補正の内容】
【０００９】
本発明の第１の双方向通信ネットワークによる医療情報提供・取得システムによれば、先ず、例えばインターネット等の双方向通信ネットワークに収容され、一の医療関連施設に配置される施設処理装置では、その入力手段を介して各患者の患者データのうち限定的な情報量のデータ部分がミニマムデータとして入力されると、その第１転送手段によって、該ミニマムデータを集中処理装置に転送する。
【手続補正４】
【補正対象書類名】明細書
【補正対象項目名】００１２
【補正方法】変更
【補正の内容】
【００１２】
その後（例えば、同日、数日後、数週間後、数ヵ月後、数年後等に）、一の患者が、当該一又は他の医療関連施設で診療或いは治療を受けるに際し、当該一又は他の医療関連施設に配置される施設処理装置では、その第１要求手段によって、この一の患者についての登録手段に登録されたミニマムデータの転送を集中処理装置に要求する。これに対し、集中処理装置では、転送の要求を受け取ると、その第２転送手段によって、登録手段に登録されたミニマムデータであって、この一の患者に係るものを検索して、当該一又は他の医療関連施設に配置される施設処理装置に転送する。これを受けて、当該一又は他の医療関連施設に配置される施設処理装置では、転送されてきたミニマムデータを参照可能となる。
このように、施設処理装置では、入力手段を介して入力されたミニマムデータを、第１転送手段によって集中処理装置に転送するので、患者のプライバシー保護を図りながら、患者本人等の意思に基づいて或いは人命尊重のために、このミニマムデータを有効利用することが可能となる。この際、ミニマムデータの情報量は、患者の承諾レベルに応じて可変に設定されるので、患者の承諾レベルに応じて、その情報量やデータ内容・種類等が可変に設定されたミニマムデータを、第２転送手段から転送できる。このため、ミニマムデータの用途に柔軟性や発展性を持たせることが可能となる。
【手続補正５】
【補正対象書類名】明細書
【補正対象項目名】００１３
【補正方法】変更
【補正の内容】
【００１３】
以上の結果、一定条件下で（例えば、後に患者本人が参照を承諾することや緊急・救急医療時であること等を条件として）双方向通信ネットワークを介しての参照を可能ならしめる形態でミニマムデータを集中処理装置に登録しておけば、その後、当該患者のプライバシー保護を図りながら、患者本人等の意思に基づいて或いは人命尊重のために、このミニマムデータを有効利用することが可能となる。
【手続補正６】
【補正対象書類名】明細書
【補正対象項目名】００１４
【補正方法】変更
【補正の内容】
【００１４】
本発明の双方向通信ネットワークによる医療情報提供・取得システムの一態様では、前記入力手段は、予め設定された複数種類のテンプレートの中から一つを選択可能であり、更に該選択された一つのテンプレート上で、前記患者データを項目毎に前記患者の承諾レベルを示すデータに対応付けて入力可能なテンプレート入力手段を備える。
【手続補正７】
【補正対象書類名】明細書
【補正対象項目名】００１５
【補正方法】変更
【補正の内容】
【００１５】
この態様によれば、予め用意された複数のテンプレート（データ入力用定型フォーム）のうち、当該患者に見合ったものを選択することにより、適切な患者データを迅速に入力することができ、更にこれに紐付けた形で患者の承諾レベルを示すデータを容易に入力できる。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】削除
【補正の内容】
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】削除
【補正の内容】
【手続補正３５】
【補正対象書類名】明細書
【補正対象項目名】００４３
【補正方法】削除
【補正の内容】
【手続補正３６】
【補正対象書類名】明細書
【補正対象項目名】００４４
【補正方法】削除
【補正の内容】
【手続補正３７】
【補正対象書類名】明細書
【補正対象項目名】００４５
【補正方法】削除
【補正の内容】
【手続補正３８】
【補正対象書類名】明細書
【補正対象項目名】００４６
【補正方法】削除
【補正の内容】
【手続補正３９】
【補正対象書類名】明細書
【補正対象項目名】００４７
【補正方法】削除
【補正の内容】
【手続補正４０】
【補正対象書類名】明細書
【補正対象項目名】００４８
【補正方法】削除
【補正の内容】
【手続補正４１】
【補正対象書類名】明細書
【補正対象項目名】００４９
【補正方法】削除
【補正の内容】
【手続補正４２】
【補正対象書類名】明細書
【補正対象項目名】００５０
【補正方法】削除
【補正の内容】
【手続補正４３】
【補正対象書類名】明細書
【補正対象項目名】００５１
【補正方法】削除
【補正の内容】
【手続補正４４】
【補正対象書類名】明細書
【補正対象項目名】００５２
【補正方法】削除
【補正の内容】
【手続補正４５】
【補正対象書類名】明細書
【補正対象項目名】００５３
【補正方法】削除
【補正の内容】
【手続補正４６】
【補正対象書類名】明細書
【補正対象項目名】００５４
【補正方法】削除
【補正の内容】
【手続補正４７】
【補正対象書類名】明細書
【補正対象項目名】００５５
【補正方法】削除
【補正の内容】
【手続補正４８】
【補正対象書類名】明細書
【補正対象項目名】００５６
【補正方法】削除
【補正の内容】
【手続補正４９】
【補正対象書類名】明細書
【補正対象項目名】００５７
【補正方法】削除
【補正の内容】
【手続補正５０】
【補正対象書類名】明細書
【補正対象項目名】００５８
【補正方法】削除
【補正の内容】
【手続補正５１】
【補正対象書類名】明細書
【補正対象項目名】００５９
【補正方法】削除
【補正の内容】
【手続補正５２】
【補正対象書類名】明細書
【補正対象項目名】００６０
【補正方法】削除
【補正の内容】
【手続補正５３】
【補正対象書類名】明細書
【補正対象項目名】００６１
【補正方法】変更
【補正の内容】
【００６１】
本発明のコンピュータプログラムは上記課題を解決するために、コンピュータを、上述した本発明の双方向通信ネットワークによる医療情報提供・取得システム（但し、その各種態様も含む）に備えられた前記集中処理装置及び前記施設処理装置のうち少なくとも一方として機能させる。
【手続補正５４】
【補正対象書類名】明細書
【補正対象項目名】００６２
【補正方法】変更
【補正の内容】
【００６２】
本発明のコンピュータプログラムによれば、上述した本発明の双方向通信ネットワークによる医療情報提供・取得システムに備えられた集中処理装置及び施設処理装置のうち少なくとも一方を、情報記録媒体の格納プログラムや通信ネットワークを通じたダウンロード／インストールによるプログラムで実行可能になる。より具体的には、当該コンピュータプログラムによって、コンピュータを、施設処理装置を構成する入力手段、第１転送手段、第１要求手段等として夫々機能させたり、コンピュータを集中処理装置における登録手段、第２転送手段等として夫々機能させたりできる。例えば、情報記録媒体によるパーケージソフトウェアや、通信ネットワークを通じたダウンロード／インストールによるシェアウエアとして流通させることが可能になり、本発明の汎用性が向上する。換言すれば、実施が容易かつ確実に出来るようになる。